(57)【特許請求の範囲】
【請求項１】
直管蛍光灯の一方のランプ口金を装着するプランジャがランプ軸方向に移動可能な可動式ランプソケットに対向して、前記直管蛍光灯の他方のランプ口金を装着する固定式ランプソケットにおいて、
筒状であってランプ口金のランプ端子を挿入させる前端側と後端側の間に壁を有し前記壁に一対のスリット状の挿通部を形成しかつ外周面の軸方向の略中央位置に係止部を有する受金と、この受金を挿通する開口を前面に有し前記係止部が前記開口の縁部の後側に係止可能なソケット本体と、略十字形をなしその先端を前記挿通部に挿通し左右の両腕部が前記挿通部の後側に係止可能な一対の接触片と、前記接触片の後端に嵌合する嵌合部を形成した接触片押圧部を一端に有し中間部を介して他端に端子部を有する導電部材と、前記ソケット本体内で一端が前記ソケット本体に支持され他端が前記接触片押圧部の後面に当接し前記接触片の前記先端を前記ランプ端子に接触する方向に付勢して前記接触片の前記両腕部を前記挿通部に係止させ前記係止部を前記開口の縁部に係止させるばねとを備え、
前記ソケット本体は、前記前面とその上側の上側部からなる前面板を有し、前記前面は前記上側部よりも凹んで前記ランプ口金に対向し、
前記ソケット本体の前記開口は、前記受金をその軸方向と直角な方向に移動可能に支持するように前記受金より大きく形成され、
前記受金の前端は前記ランプ口金が当たるように前記ランプ口金の端面より小さく、かつ前記上側部と略同一平面上にあるように前記前面から突出し、
前記ばねは可動式のランプソケットのばねよりもばね力が大きいランプソケット。
【発明の詳細な説明】
【技術分野】
【０００１】
この発明は、体育館などの施設に適用される例えば１１０Ｗ直管蛍光灯などのランプソケットに関するものである。
【背景技術】
【０００２】
第１の従来例は図５に示すようにランプ口金のランプ端子を装着する受金部１００がソケット本体１０１に一体的に形成されている。第２の従来例は図６に示すように受金（プランジャ）１０２がソケット本体１０１に対して軸方向に移動可能であり、ばねにより前方に突出付勢されている（特許文献１参照）。
【特許文献１】特開２００４−０２２３１３号公報
【発明の開示】
【発明が解決しようとする課題】
【０００３】
従来、１１０Ｗ直管蛍光灯ソケットにおいては、一般的に第２の従来例のような可動式ソケットと第１の従来例のような固定式ソケットがあった。また、１１０Ｗ直管蛍光灯はランプ全長が長いため、振動等によるランプ保持性を確保する必要があった。  
【０００４】
ところで、従来の照明器具においては、可動式ソケットを組み合わせ使用する場合と、可動式・固定式ソケットを組み合わせ使用する場合があった。  
【０００５】
前者の場合、両側がプランジャを備えた可動式であるため、直管蛍光灯に振動が加わったときにランプ口金部分が振動してランプ全体の振幅が大きくなってしまうので、器具本体にランプ支持ばね等を設置する必要があった。    
【０００６】
後者の場合、固定側ソケットにはプランジャがないため、ランプ口金が振動しにくく、比較的、耐振動性に優れている。
【０００７】
しかしながら、振動の加わる環境で長期間使用される場合、固定側のランプ口金部分は振動しにくいが、がたつきがあるため、微小振動が発生し、ランプ端子とランプ端子が接触する接触片との間の接触部が微小振動するため、接触信頼性に課題があった。
【０００８】
したがって、この発明の目的は、固定式のランプソケットにおいて、振動環境等での接触信頼性を向上することができるランプソケットを提供することである。
【課題を解決するための手段】
【０００９】
この発明のランプソケットは、直管蛍光灯の一方のランプ口金を装着するプランジャがランプ軸方向に移動可能な可動式ランプソケットに対向して、前記直管蛍光灯の他方のランプ口金を装着する固定式ランプソケットにおいて、
筒状であってランプ口金のランプ端子を挿入させる前端側と後端側の間に壁を有し前記壁に一対のスリット状の挿通部を形成しかつ外周面の軸方向の略中央位置に係止部を有する受金と、この受金を挿通する開口を前面に有し前記係止部が前記開口の縁部の後側に係止可能なソケット本体と、略十字形をなしその先端を前記挿通部に挿通し左右の両腕部が前記挿通部の後側に係止可能な一対の接触片と、前記接触片の後端に嵌合する嵌合部を形成した接触片押圧部を一端に有し中間部を介して他端に端子部を有する導電部材と、前記ソケット本体内で一端が前記ソケット本体に支持され他端が前記接触片押圧部の後面に当接し前記接触片の前記先端を前記ランプ端子に接触する方向に付勢して前記接触片の前記両腕部を前記挿通部に係止させ前記係止部を前記開口の縁部に係止させるばねとを備え、
前記ソケット本体は、前記前面とその上側の上側部からなる前面板を有し、前記前面は前記上側部よりも凹んで前記ランプ口金に対向し、
前記ソケット本体の前記開口は、前記受金をその軸方向と直角な方向に移動可能に支持するように前記受金より大きく形成され、
前記受金の前端は前記ランプ口金が当たるように前記ランプ口金の端面より小さく、かつ前記上側部と略同一平面上にあるように前記前面から突出し、
前記ばねは可動式のランプソケットのばねよりもばね力が大きい。
【発明の効果】
【００１３】
この発明のランプソケットによれば、受金はソケット本体と別部品で構成され、受金は受金の軸方向と直交する方向へ移動可能であるため、ランプの微振動による口金移動に追従するように移動可能であり、しかも接触片はばねにより接触方向に付勢されているため、振動環境等での接触信頼性を向上することができる。
【００１４】
受金がソケット本体の前面よりも突出しているため、ランプの微振動時にランプ口金がソケット本体の前面に当たらないので、ランプ端子と接触片が離れるような悪影響を与えずにさらに接触信頼性が向上する。  
【００１５】
また、ランプ装着時にランプ口金とソケット本体の前面との間に隙間ができるので、ランプが異常発熱した場合に、隙間に空気の流れが生じるので温度上昇を抑制できる。  
【００１６】
その他、何らかの要因でランプ口金が上下左右にずれた場合も、受金が傾き追従できるので安全である。なお、ソケット本体よりも受金を高耐熱材料で構成するとより安全性が向上する。
【発明を実施するための最良の形態】
【００１７】
この発明の一実施の形態のランプソケットを適用した照明器具は、図４（ａ）に示すように直管蛍光灯３２の一方のランプ口金３２ａがこの実施の形態のランプソケットに装着され、直管蛍光灯３２の他方のランプ口金３２ｂがランプ軸方向に移動可能な可動式ランプソケット２７に装着されるものである。
【００１８】
この実施の形態のランプソケットは、図１から図４に示すように、ソケット本体１と、受金３と、接触片４と、導電部材５と、ばね６とを有する。
【００１９】
ソケット本体１は、ソケットボディ１ａとソケットカバー２からなる。ソケットボディ１ａは略筒形であり、一端の前面板１２に受金３を挿通する開口７を孔により形成し、他端を開放している。開口７は上下が平坦な形状に形成されている。前面板１２の前面１３は上側部１３ａよりも段１４を介して軸方向の後方に凹んでいる。また上側部１３ａより軸方向の前方に端子カバー部８が突設され、端子カバー部８の前端に電線挿入孔９を形成し、端子カバー部８の両側に連結孔１０を形成し、連結孔１０に隣接して軸方向に延びたスリット溝部１１を形成している。
【００２０】
ソケットカバー２は、ソケットボディ１ａを内に嵌合する箱形であり、その開口縁１８は前面板１２の前面１３、段１４および上側部１３ａに揃う形状に形成している。また端子カバー部８に対向して端子カバー部８に嵌まる端子支持部１５を突設し、連結孔１０に嵌合する嵌合爪１６を突設し、さらにスリット溝１１に長手方向に連続するようにカバー側スリット溝１７を形成している。ソケットボディ１ａをソケットカバー２内に挿入し、嵌合爪１６を連結孔１０に嵌合し嵌合爪１６を連結孔１０の孔縁に係止して抜け止めし、これによってソケットボディ１ａとソケットカバー２を結合する。このとき、前面板１２と開口縁１８が面一になるとともに、スリット溝１１、１７が揃うことにより、ソケット台２４の取付用開口２５の縁部にスリット溝１１、１７を係合することができ、ソケット台２４にランプソケットを支持させることが可能となる。
【００２１】
受金３は断面形状が開口７に相似な外形を有する筒形であり、開口７に遊嵌可能に形成されている。すなわち受金３は軸方向と直角な方向に移動可能となるように開口７の寸法を受金３の外形寸法よりも若干大きくしている。受金３は両端が開口し内部の中間に壁２０を有し、壁２０に接触片４を通す例えばスリット状の挿通部２１を形成し、壁２０の前面側中央に仕切り部２２を突設し、また外周面の平坦面の略中央位置に例えば突起状の係止部１９を設けている。この受金３の前端はランプ口金３２ａの端面より小さい形状である。
【００２２】
一対の接触片４は例えば板状で略十字形に形成され、受金３の後ろ側から挿入されて先端４ａが挿通部２１に挿通され、両腕部４ｂが挿通部２１の縁部に係止する。
【００２３】
導電部材５は導電板により形成され、一端に接触片横圧部５ａを設け、他端に例えば速結端子からなる端子部５ｂを設け、中間部をコ字形に折曲している。端子部５ｂはソケットカバー２の端子支持部１５に支持され、端子カバー部８に被覆される。接触片押圧部５ａは接触片４の後端部４ｃに嵌合する嵌合部５ｃを有し、接触片押圧部５ａの前面が接触片４に接触する。
【００２４】
ばね６は例えばコイルばねであり、前端を接触片押圧部５ａの後面に当接し、後端をソケットカバー２の内面のばね受け部２ａに支持させ、圧縮状態にして接触片押圧部５ａを押し、これにより接触片４を受金３内の壁２０の前側に突出するとともにランプ口金３２ａのランプ端子３２ｃに接触する方向に付勢している。またばね６の押圧作用により接触片４を介して受金３をも軸方向の前方に付勢し、係止部１９を開口７の縁部に係止させている。このとき、受金３の前端は前面板１２の前面１３よりも突出し、上側部１３ａと略同一平面上にあるように設定されており、これにより少なくともランプ口金３２ａに対向する範囲の前面１３は上側部１３ａよりも凹んだ状態となる。このため受金３の前端にランプ口金３２ａの端面が当接したときランプ口金３２ａと前面板１２の前面１３との間に隙間が形成される。またばね６により受金３が前面板１２に支持されるが、開口７が若干大きく形成されているため、図３（ａ）に矢印で示すように受金３が開口７内でばね６の支持のもと軸方向と直角な方向例えば一対の接触片４の並び方向と直交する方向に移動可能となる。この回動には図３（ｂ）に示すように係止部１９の一方を支点にして受金３が回動する場合が含まれる。したがって、直管蛍光灯３２の振動によって受金３が追従しランプ端子３２ｃと接触片４との接触が離れることがなくなるので接触信頼性が高まる。
【００２５】
図３は端子部５ｂに電線２６を接続した状態であり、これにより導電部材５を介して接触片４に電力が供給される。
【００２６】
図４（ａ）は照明器具のランプ装着状態である。３０は器具本体、３１は反射板である。上記したように右側のランプソケット２７はプランジャ２７ａが軸方向に移動可能な可動式ランプソケットであり、左側がこの実施の形態のランプソケットである。この場合、プランジャ２７ａのばねよりもばね６のばね力が大きいため、振動があっても直管蛍光灯３２の振動は抑制される。
【００２７】
図４（ｂ）はランプ装着の途中の状態であり、はじめに可動式ランプソケット２７のプランジャ２７ａにランプ口金３２ｂのランプ端子を挿入しプランジャ２７ａを押し込みながら、他方のランプ口金３２ａのランプ端子３２ｃを受金３に装着する。
【図面の簡単な説明】
【００２８】
【図１】この発明の一実施の形態の分解斜視図である。
【図２】その組み立て状態の斜視図である。
【図３】（ａ）は電線を接続した状態の断面図、（ｂ）は受金が上下方向に動いた状態の断面図である。
【図４】（ａ）は直管蛍光灯の装着状態の正面図、（ｂ）はランプ装着途中の状態の正面図である。
【図５】第１の従来例の斜視図である。
【図６】第２の従来例の斜視図である。
【符号の説明】
【００２９】
１    ソケット本体
３    受金
４    接触片
５    導電部材
６    ばね
７    開口
１３    前面
３２ａ  ランプ口金
３２ｃ  ランプ端子
【図１】
0004665491.tif 000002
【図２】
0004665491.tif 000003
【図３】
0004665491.tif 000004
【図４】
0004665491.tif 000005
【図５】
0004665491.tif 000006
【図６】
0004665491.tif 000007